(57)【要約】【課題】大型の投写型映像表示装置の投写方向を容易に調整できるようにする。【解決手段】映像光を出射する投写レンズ２００が取り付けられた投写型映像表示装置１００の筐体１１０の底面１１１に、一方向に転動するように固定された一対の固定キャスタ（第１キャスタ）３２１、３２２と、転動方向が自在な一対の自在キャスタ（第２キャスタ）３３１、３３２と、複数のアジャスタ３１１〜３１４とが設けられる。投写型映像表示装置の筐体の底面を設置面に対向させた状態の高さ方向において、固定キャスタの底面からの突出量は、自在キャスタ記底面からの突出量に比べて大きく、アジャスタの底面からの突出量は自在キャスタの突出量より小さい突出量から、固定キャスタの突出量よりも大きい突出量までの範囲で調整可能である。【選択図】図２
2017097247.tif 000002
【特許請求の範囲】
【請求項１】
映像光を出射する投写レンズが取り付けられた筐体の底面に、
前記投写レンズの光軸方向に配置され、前記光軸と直交する方向にのみ転動体が転動するように固定された一対の第１キャスタと、
前記光軸と直交する方向に配列され、転動体の転動方向が自在になるように設けられた一対の第２キャスタと、
前記筐体の仰角の調整を可能にする複数のアジャスタと、
が設けられ、
前記筐体の前記底面を設置面に対向させた状態の高さ方向において、前記第１キャスタの前記底面からの突出量は、前記第２キャスタの前記底面からの突出量に比べて大きく、
アジャスタの前記底面からの突出量は前記第２キャスタの前記突出量より小さい突出量から、前記第１キャスタの前記突出量よりも大きい突出量までの範囲で調整可能である、投写型映像表示装置。
【発明の詳細な説明】
【技術分野】
【０００１】
本開示は、投影方向の調整が容易に行える投写型映像表示装置に関する。
【背景技術】
【０００２】
特許文献１には、キャスタとアジャスタを使用した架台の投影位置調整に関する技術が開示されている。
【先行技術文献】
【特許文献】
【０００３】
【特許文献１】特開平９−１１６８４１号公報
【発明の概要】
【発明が解決しようとする課題】
【０００４】
本開示は、重量の重い投写型映像表示装置の投映方向を容易に調整できる構造を提供する。
【課題を解決するための手段】
【０００５】
本開示の投写型映像表示装置は、映像光を出射する投写レンズが取り付けられた筐体の底面に、投写レンズの光軸方向に配置され、光軸と直交する方向にのみ転動体が転動するように固定された一対の第１キャスタと、光軸と直交する方向に配列され、転動体の転動方向が自在になるように設けられた一対の第２キャスタと、筐体の仰角の調整を可能にする複数のアジャスタとが設けられ、筐体の底面を接地面に対向させた状態の高さ方向において、第１キャスタの底面からの突出量は、第２キャスタの底面からの突出量に比べて大きく、アジャスタの底面からの突出量は第２キャスタの突出量より小さい突出量から、第１キャスタの突出量よりも大きい突出量までの範囲で調整可能となっている。
【発明の効果】
【０００６】
本開示における投写型映像表示装置によれば、重量の重い大型の投写型映像表示装置においても持ち上げることなく投映方向を容易に調整することができる。
【図面の簡単な説明】
【０００７】
【図１】実施の形態の投写型映像表示装置の上面斜視図
【図２】実施の形態の投写型映像表示装置の底面斜視図
【図３】実施の形態の投写型映像表示装置の正面図
【図４】実施の形態の投写型映像表示装置の側面図
【図５】実施の形態の投写型映像表示装置のキャスタ斜視図
【図６】実施の形態の投写型映像表示装置のキャスタ、アジャスタ拡大図
【図７】実施の形態の投写型映像表示装置の投影位置調整時の筐体の傾き正面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することは意図されていない。
（実施の形態）
以下、図１〜図７を用いて、アジャスタとキャスタを用いた位置調整構造を備える投写型映像表示装置の実施形態を説明する。
【００１０】
図１は実施の形態にかかる投写型映像表示装置１００の上面斜視図であり、投写レンズ２００より映像が拡大投写されるようになっている。図２は投写型映像表示装置１００の底面側の斜視図である。図３は投写型映像表示装置１００の正面図、図４は同側面図である。図５はキャスタの拡大図であり、図６はキャスタ及びアジャスタの高さ関係を示す図である。図７は投影位置調整時の筐体の傾きを示した正面図である。
【００１１】
投写型映像表示装置１００は、その筐体１１０の前面１１２に映像光を出射する投写レンズ２００が取り付けられている。
【００１２】
投写型映像表示装置１００の底面１１１には、投写型映像表示装置１００が設置される設置面からの高さ調整、仰角調整を行うための４個のアジャスタ３１１〜３１４が筐体１１０の底面１１１の四隅において、底面１１１に対して垂直な方向に調整可能なように伸縮自在に設けられている。
【００１３】
投写型映像表示装置１００の筐体１１０の底面１１１には、また、投写レンズ２００の光軸方向に配置され、光軸と直交する方向にのみ転動体３２１ａ、３２２ａが転動するように固定された一対の固定キャスタ３２１、３２２が設けられている。これら固定キャスタ３２１、３２２は、投写レンズ２００の光軸方向とは直交する方向において、アジャスタ３１１、３１２の間、及びアジャスタ３１３、３１４の間の中央部に設けられる。固定キャスタ３２１、３２２は、第１キャスタの一例である。
【００１４】
投写型映像表示装置１００の筐体１１０の底面１１１には、更に、一対の自在キャスタ３３１、３３２が設けられている。この自在キャスタ３３１、３３２は転動体の転動方向が自在になるように設けられている。自在キャスタは、第２キャスタの一例である。
【００１５】
これら固定キャスタと自在キャスタによって、投写型映像表示装置を設置面に対して垂直な軸を中心に回動させることができる。
【００１６】
固定キャスタ３２１、３２２は、図５（Ａ）に示すように転動体３２１ａと軸３２１ｂで構成され、転動体３２１ａは軸３２１ｂに対し直角方向に回転する。
【００１７】
自在キャスタ３３１、３３２は図５（Ｂ）に示すようにキャスタの枠体３２２ａと転動体３２２ｂで構成され、転動体３２２ｂは枠体３２２ａからの飛び出し量が一定で自由に回動する。
【００１８】
アジャスタ３１１〜３１４と固定キャスタ３２１、３２２、自在キャスタ３３１、３３２の投写型映像表示装置１００の筐体１１０の底面１１１からの突出量は、投写型映像表示装置の設置位置での固定時と設置位置への調整時で、以下の関係となる。
【００１９】
固定時：アジャスタ＞固定キャスタ＞自在キャスタ    ・・・（１）
調整時：固定キャスタ＞自在キャスタ＞アジャスタ    ・・・（２）
すなわち、筐体の底面を設置面に対向させた状態の高さ方向において、固定キャスタの底面からの突出量は、自在キャスタの底面からの突出量に比べて大きい。また、筐体の底面を設置面に対向させた状態の高さ方向において、アジャスタの底面からの突出量は自在キャスタの突出量より小さい突出量から、固定キャスタの突出量よりも大きい突出量までの範囲で調整可能になっている。
【００２０】
図６の（ａ）に示すように投写型映像表示装置１００を設置面に固定している状態では、上記（１）の関係のようにアジャスタが固定キャスタと自在キャスタよりも、底面１１１からの突出量が大きくなるようにアジャスタの突出量が調整されている。これにより、固定キャスタ３２１、３２２と自在キャスタは設置面に接触することがないので、投写型映像表示装置１００に対し設置面と平行な方向に押しても、容易には移動することがない。
【００２１】
投写型映像表示装置１００による投影位置を調整する場合は、アジャスタ３１１〜３１４の突出量が上記（２）の関係になるよう図６（ｂ）のように調整する。
【００２２】
アジャスタ３１１〜３１４の投写型映像表示装置１００の底面からの突出量を減少させると、図７に示すように固定キャスタ３２１、３２２を中心に傾きが生じる。生じた傾きにより浮き上がった側のアジャスタ３１２、３１４にかかる荷重を軽減でき、アジャスタ３１２、３１４を動作させる力を軽減できる。アジャスタ３１１〜３１４の底面からの飛び出し量を自在キャスタ３３１、３３２より小さくすると、例えば図７のように固定キャスタ３２１、３２２と自在キャスタ３３１、３３２のうちの片側の自在キャスタ３３２が設置面４００に接する。設置面４００には固定キャスタ３２１、３２２が２箇所、自在キャスタ３３２が１箇所の合計３箇所での接地になり、この状態でユーザの手によって筐体１１０を所望の方向へ向けることができる。このとき、自在キャスタ３３１、３３２が２箇所接地するよりも投写型映像表示装置１００を回転させる力を軽減できる。
【００２３】
固定キャスタ３２１、３２２と自在キャスタ３３１、３３２を使用することで所望の角度を得るように調整後、アジャスタ３１１〜３１４の突出量を増やすことで画像の投写位置を固定できるので、投写型映像表示装置本体を持ち上げることなく調整可能となる。
【００２４】
このように、本実施の形態の投写型映像表示装置は、その筐体の底面を設置面に対向させた状態の高さ方向において、固定キャスタの底面からの突出量は、自在キャスタの底面からの突出量に比べて大きくなっている。また、アジャスタの底面からの突出量は自在キャスタの突出量より小さい突出量から、固定キャスタの突出量よりも大きい突出量までの範囲で調整可能となっており、これにより、少ない労力で重たい投写型映像表示装置の投写方向を移動できる。
【産業上の利用可能性】
【００２５】
本開示は、投写型映像表示装置、特に大型の投写型映像表示装置に適用可能である。
【符号の説明】
【００２６】
１００  投写型映像表示装置
１１０  筐体
１１１  底面
１１２  前面
２００  投写レンズ
３１１、３１２、３１３、３１４  アジャスタ
３２１、３２２  固定キャスタ
３２１ａ  転動体
３２１ｂ  軸
３２２ａ  枠体
３２２ｂ  転動体
３３１、３３２  自在キャスタ
４００  設置面
【図１】
2017097247.tif 000003
【図２】
2017097247.tif 000004
【図３】
2017097247.tif 000005
【図４】
2017097247.tif 000006
【図５】
2017097247.tif 000007
【図６】
2017097247.tif 000008
【図７】
2017097247.tif 000009